(57)【要約】【課題】着座者が、離席したり、臀部を持ち上げたりすることなく、簡単な動作で、椅子の後方に他人が通行できる空間を形成できるようにした椅子を提供する。【解決手段】ベース３に下端部が枢着され、かつ上端部が、前限位置から後限位置までの間を回動可能とした脚体４の上部と座６の後部とを、後部リンク２４をもって連結するとともに、脚体４の中間部と座６の前部とを前部リンク２３をもって連結し、座６を、脚体４が後限位置に位置している状態で、ほぼ水平の使用位置に保持しうるとともに、脚体４が前限位置に位置している状態で、後上向き傾斜する不使用位置に保持しうるようにした椅子において、脚体４を、後限位置より若干前限位置寄りの中間位置に回動させたときにも、座６をほぼ水平状態に保持しうるようにする。  【選択図】  図８
2010273768.tif 000002
【特許請求の範囲】
【請求項１】
ベースに、左右方向の枢軸をもって下端部が枢着され、かつ上端部が、前限位置から後限位置までの間を前後方向に回動可能とした脚体の上部と座の後部とを、後部リンクをもって連結するとともに、前記脚体の中間部またはそれより下方の部分と座の前部とを前部リンクをもって連結し、前記後部リンクと前部リンクとにより、前記座を、脚体が後限位置に位置している状態で、ほぼ水平の使用位置に保持しうるとともに、脚体が前限位置に位置している状態で、後端が前記後部リンクにより持ち上げられて、後上向き傾斜する不使用位置に保持しうるようにした椅子において、
前記脚体を、後限位置より若干前限位置寄りの中間位置に回動させたときにも、前記座をほぼ水平状態に保持しうるようにしたことを特徴とする椅子。
【請求項２】
脚体が後限位置に位置し、かつ前記座が使用位置に位置しているときは、後部リンクは、前記脚体に対する最大下向き角度より小さい下向き角度において、第１のストッパ手段により下向き回動が阻止されて、座の後部を支持し、脚体が中間位置に位置しているときは、後部リンクは、脚体に設けた第２のストッパ手段により、脚体に対する最大下向き角度で停止させられて、座の後部を支持するようにした請求項１記載の椅子。
【請求項３】
第１のストッパ手段を、脚体が後限位置に位置し、かつ前記座が使用位置に位置しているとき、後部リンクの中間部とベースとの間に介在して、後部リンクの下向き回動を阻止する上下方向の突張り杆とした請求項２記載の椅子。
【請求項４】
脚体に対して後部リンクを上向き回動するように付勢するとともに、脚体を前限位置に向けて付勢する付勢手段を設けた請求項１〜３のいずれかに記載の椅子。
【発明の詳細な説明】
【技術分野】
【０００１】
本発明は、学校などの講義室や会議場等に設置され、使用状態と不使用状態とに変化させうるようにした椅子に関する。
【背景技術】
【０００２】
学校の講義室等に机と共に多数設置される椅子の中には、不使用状態において、椅子とその後方の机との間に人が通行しうる間隔が形成されるように、椅子全体を前方に傾動させるとともに、座を後上方に傾斜させうるようにしたものがある(例えば特許文献１、２参照)。
【先行技術文献】
【特許文献】
【０００３】
【特許文献１】特許第２９２７７１２号公報
【特許文献２】特許第３８０３６４２号公報
【発明の概要】
【発明が解決しようとする課題】
【０００４】
上記特許文献１及び２に記載されている椅子は、いずれも、椅子を不使用状態から後方に傾動させるとともに、座を、リンク機構により、後下方に傾動させて、ほぼ水平とし、机の天板と座との間に、着座者の下肢を進入させて、着座するようになっている。
【０００５】
しかし、椅子に着座している状態で、他人が、その椅子と後方の机との間を通行したいような場合は、着座者は、一旦離席して、椅子を不使用状態に戻し、その状態で、椅子と後方の机との間を通って他人を通行させた後、再度上記のようにして着座しなければならず、面倒である。
【０００６】
このような面倒な動作を避けるため、特許文献１の図８(ｃ)には、着座者が前の机に前傾姿勢で凭れて、臀部を持ち上げることにより、椅子を、使用状態と不使用状態との切換途中の状態として、その椅子と後方の机との間に、人が通行できる程度の空間を形成させるようにした発明が記載されているが、この場合にも、着座者は、前の机に前傾姿勢で凭れて、臀部を持ち上げなければならず、その動作はやはり面倒である。
【０００７】
本発明は、上記問題点に鑑みてなされたもので、着座者が、離席したり、臀部を持ち上げたりすることなく、簡単な動作で、椅子の後方に、他人が通行できる空間を形成できるようにした椅子を提供することを目的としている。
【課題を解決するための手段】
【０００８】
本発明によると、上記課題は、次の各項のようにして解決される。
（１）ベースに、左右方向の枢軸をもって下端部が枢着され、かつ上端部が、前限位置から後限位置までの間を前後方向に回動可能とした脚体の上部と座の後部とを、後部リンクをもって連結するとともに、前記脚体の中間部またはそれより下方の部分と座の前部とを前部リンクをもって連結し、前記後部リンクと前部リンクとにより、前記座を、脚体が後限位置に位置している状態で、ほぼ水平の使用位置に保持しうるとともに、脚体が前限位置に位置している状態で、後端が前記後部リンクにより持ち上げられて、後上向き傾斜する不使用位置に保持しうるようにした椅子において、前記脚体を、後限位置より若干前限位置寄りの中間位置に回動させたときにも、前記座をほぼ水平状態に保持しうるようにする。
【０００９】
このような構成とすると、脚体が後限位置に位置し、かつ座が使用位置に保持され、着座者が着座している状態から、着座者が臀部を前方に引き寄せるだけで、脚体が、座とともに、中間位置まで前方に向かって回動し、椅子の後方に、他人が通行するため等の空間を簡単に形成することができる。
したがって、着座者は、離席したり、臀部を持ち上げたりする必要がなく、簡単な動作で、椅子の後方に他人が通行できる空間を形成することができる。
【００１０】
（２）上記(１)項において、脚体が後限位置に位置し、かつ前記座が使用位置に位置しているときは、後部リンクは、前記脚体に対する最大下向き角度より小さい下向き角度において、第１のストッパ手段により下向き回動が阻止されて、座の後部を支持し、脚体が中間位置に位置しているときは、後部リンクは、脚体に設けた第２のストッパ手段により、脚体に対する最大下向き角度で停止させられて、座の後部を支持するようにする。
【００１１】
このような構成とすると、脚体が後限位置に位置し、かつ座が使用位置に位置しているときは、第１のストッパ手段に当接した後部リンクにより、座の後部が安定よく支持され、また、脚体が中間位置に位置しているときは、第２のストッパ手段に当接した後部リンクにより、座の後部が安定よく支持され、いずれの場合も、座の安定性がよい。
【００１２】
（３）上記(２)項において、第１のストッパ手段を、脚体が後限位置に位置し、かつ前記座が使用位置に位置しているとき、後部リンクの中間部とベースとの間に介在して、後部リンクの下向き回動を阻止する上下方向の突張り杆とする。
【００１３】
このような構成とすると、第１のストッパ手段の構造を簡素化しうるとともに、座の後部の荷重を、突張り杆により支えることができ、脚体にかかる負荷を軽減して、脚体の耐荷重強度を低くすることができる。
【００１４】
（４）上記(１)〜(３)項のいずれかにおいて、脚体に対して後部リンクを上向き回動するように付勢するとともに、脚体を前限位置に向けて付勢する付勢手段を設ける。
【００１５】
このような構成とすると、脚体は前限位置に向けて、また座は不使用位置に向けて、それぞれ外力に頼らずに自然に復帰することができる。
【発明の効果】
【００１６】
本発明によると、着座者が、離席したり、臀部を持ち上げたりすることなく、簡単な動作で、椅子の後方に他人が通行できる空間を形成できるようにした椅子を提供することができる。
【図面の簡単な説明】
【００１７】
【図１】本発明の椅子の一実施形態の分解斜視図である。
【図２】同じく、椅子を不使用状態としたときの側面図である。
【図３】同じく、使用状態まで傾動させたときの椅子の側面図である。
【図４】図３の状態において、着座したときの椅子の側面図である。
【図５】椅子の不使用状態時の一部切欠拡大側面図である。
【図６】椅子の使用状態時において、着座姿勢から起立したときの側面図である。
【図７】座を、不使用状態のときよりさらに大きく後上方に傾斜させたときの一部切欠拡大側面図である。
【図８】使用状態時において、椅子を若干前方に傾動させたときの側面図である。
【発明を実施するための形態】
【００１８】
以下、本発明の実施形態を、図面に基づいて説明する。
図１は、本発明の椅子の分解斜視図、図２は、同じく、椅子を不使用状態としたときの側面図、図３は、同じく使用状態まで傾動させたときの椅子の側面図、図４は、図３の状態において着座したときの椅子の側面図、図５は、不使用状態時の椅子の一部切欠拡大側面図である。なお、本発明の椅子１は、床面Ｆに固定された前後方向(以下、図１の左方を前として説明する)に並ぶ机２、２の間に設置して使用されるものである。
【００１９】
椅子１は、ベース３と、脚体４と、背凭れ５と、座６と、リンク機構７とを備えている。
ベース３は、下面と前端部を除く後部上面が開口されたケース状をなし、その前端部の上面に形成された段付孔８と、左右の側面板３ａ、３ａの後端部に突設された固定片９の取付孔９ａとに挿入したアンカボルト１０により、前後の机２、２間において、前側の机２における天板２ａの後端の真下よりもやや後方の床面Ｆに固定されている。
【００２０】
脚体４は、ベース３の上面の開口より内部に嵌合可能な、上下両面が開口されたベース脚１１と、このベース脚１１の上面に下端が溶接により固着された角管よりなる脚杆１２とからなり、ベース脚１１の前後寸法は、脚杆１２の前面より前方に突出するように、脚杆１２の前後寸法よりも大とされ、また、その上面は、斜め前下方を向く傾斜面としてある。
【００２１】
ベース脚１１の左右の側面板１１ａ、１１ａの前端部と、ベース３の両側面板３ａ、３ａの中央部とには、左右方向を向く軸孔１３、１３が穿設され、それらの軸孔１３に、左右方向を向く枢軸１４を嵌合することにより、脚体４の前下端部が、枢軸１４により前後方向に傾動可能に支持されている。なお、枢軸１４の抜け外れを防止するために、その両端部は、ベース３側の軸孔１３に圧嵌されている。
【００２２】
ベース３内の前端部には、内部の隔壁３ｂを貫通して前方に突出するベース脚１１の前端部下面が当接することにより、脚体４を、前限位置である前傾位置で停止させる前部ストッパ部材１５が固着されている。また、ベース３内の後端部には、ベース脚１１の後端部下面が当接することにより、脚体４を、後限位置である後傾位置で停止させる後部ストッパ部材１６が固着されている(図５参照)。なお、床面Ｆと直角をなす垂直線に対する脚体４の前傾角度は、５度程度に、同じく後傾角度は、１７度程度に設定されている。しかし、前傾角度を０度、すなわち脚体４が真上を向く位置を前限位置とすることもある。
【００２３】
背凭れ５は、上端部前面に背板取付板１７が固着された上下方向を向く背フレーム１８と、背板取付板１７の前面に下部がねじ止めされた背板１９とからなっている。背フレーム１８は、後面板１８ａと、下部が前方に延出する幅広部とされた左右の側面板１８ｂ、１８ｂとにより、下方と前方に開口する平面視ほぼ前向きコ字状に形成され、下端部を脚杆１２の上端部内に嵌合させた状態で、脚杆１２の上端に溶接により固着されている。なお、背フレーム１８は、脚体４の一部をなしている。
【００２４】
座６は、図１に示すように、上面が解放され、かつ側面視において上方に外開き状に拡開する角形皿状をなす座フレーム２０と、その左右の上縁に連設された外向片２０ａ、２０ａにねじ止めされた座板２１とからなり、座フレーム２０の下面の左右方向の中央部には、前後方向に長い前後２個の矩形孔２２、２２が穿設されている。
【００２５】
上述したリンク機構７は、座６の前部支持用の角管よりなる前部リンク２３と、同じく座６の後部支持用の後部リンク２４とからなり、後部リンク２４の下方には、回動付勢手段の一部をなす短寸の回動レバー２５が設けられる(詳細は後述する)。
前部リンク２３の上下両端には、左右方向を向く軸孔２６を有する左右１対ずつの枢着片２３ａ、２３ａが突設されている。
下部の左右の枢着片２３ａ、２３ａは、脚杆１２の中間部前面に固着された平面視前向きコ字状のブラケット２７の両側片２７ａ、２７ａ間に嵌合され、両側片２７ａに穿設された軸孔２８と、両枢着片２３ａの軸孔２６とに嵌合した左右方向の軸２９をもって、前部リンク２３の下端部は、実質的に脚杆１２の中間部前面に、上下方向に回動しうるように枢着されている(図５参照)。なお、前部リンク２３の下端部は、脚杆１２の下部前面に枢着したり、ベース３に枢着したりしてもよい。
【００２６】
上部の左右の枢着片２３ａ、２３ａは、座フレーム２０の前側の矩形孔２２に挿通され、両枢着片２３ａの軸孔２６と、座フレーム２０の左右の側面板２０ｂ、２０ｂの前端部に穿設された軸孔３０、３０とに、左右方向の軸３１を嵌合することにより、前部リンク２３の上端部は、座フレーム２０の前端部に、これを支持するようにして、前後方向に回動可能に枢着されている。
【００２７】
後部リンク２４は、前後方向を向く上片２４ａと、その両側縁より垂下する、側面形が概ね逆三角形をなす左右１対のリンク片２４ｂ、２４ｂとにより、正面視ほぼ下向きコ字状に形成され、前後寸法は、前部リンク２３のそれよりも短寸とされている。
両リンク片２４ｂの後部は、背フレーム１８における左右の側面板１８ｂ間の下部に嵌合され、かつこの状態で、両リンク片２４ｂの後端部と、背フレーム１８の両側面板１８ｂの下部とを、それらに穿設された軸孔３２、３２に左右方向の軸３３を嵌合して枢着することにより、後部リンク２４の後端部は、前部リンク２３の後端部よりも後方において、背フレーム１８の下部に、上下方向に回動可能に支持されている。
【００２８】
後部リンク２４における左右のリンク片２４ｂ、２４ｂの前端部は、座フレーム２０の後側の矩形孔２２に挿通され、両リンク片２４ｂの前端部と座フレーム２０の両側面板２０ｂの後端部に穿設された軸孔３４、３６に、左右方向の軸３５を嵌合することにより、後部リンク２４の前端部は、座フレーム２０の後端部に、これを支持するようにして、前後方向に回動可能に枢着されている(図５参照)。
【００２９】
回動レバー２５は、方形の上片２５ａと、その両側縁より垂下する、側面形がほぼ扇状をなす左右１対の側片２５ｂ、２５ｂとにより、後部リンク２４内に嵌合可能な正面視ほぼ下向きコ字状に形成されている。後部リンク２４内において、左右の側片２５ｂに穿設された軸孔３６に、上述した軸３３を、後部リンク２４の軸孔３２に嵌合するのと同時に嵌合することにより、回動レバー２５は、背フレーム１８と後部リンク２４に対し上下方向に回動しうるように枢着されている。
【００３０】
脚体４の内部には、回動付勢手段の一部をなすガススプリング３７と、このガススプリング３７のシリンダケース３７ａに外嵌された筒体３８とが挿入され、ガススプリング３７の下方に突出する伸縮ロッド３７ｂの下端部に穿設された左右方向を向く軸孔３９と、ベース３の左右の側面板３ａの後端部に穿設された軸孔４０とに、左右方向を向く枢軸４１を嵌合することにより、ガススプリング３７の下端部は、ベース３に、前後方向に回動自在に、かつ脚体４の内部において前後に傾動しうるように支持されている。なお、ベース脚１１の両側面板１１ａには、下方に開口する上向き凹状の長溝４２、４２が形成され、椅子１を使用状態まで後傾させた際に、ベース脚１１が枢軸４１と干渉しないようにしてある。
【００３１】
ガススプリング３７のシリンダケース３７ａと筒体３８の上部は、脚杆１２の上端より突出して、背フレーム１８の下部まで延出されている。
シリンダケース３７ａと筒体３８の上端部には、左右方向を向く軸孔４３、４３が形成され、これらの軸孔４３と、回動レバー２５における左右の側片２５ｂの前端部に形成された軸孔４４とに、左右方向を向く軸４５を嵌合することにより、ガススプリング３７と筒体３８の上端部は、回動レバー２５の前端部に、相対回動自在に枢着されている。これにより、回動レバー２５は、ガススプリング３７の伸縮ロッド３７ｂが最大ストローク伸長することにより、常時上向きに付勢され、かつ回動レバー２５の上片２５ａの上面が後部リンク２４の上片２４ａの下面に当接することにより、後部リンク２４の下向き回動が阻止されるので、座６は、斜め後上方を向く不使用位置に傾斜して保持される(図５参照)。なお、この状態においては、上部リンク２４は、最大上向き回動範囲よりも小さい上向き回動位置で停止している。
【００３２】
図５に示すように、筒体３８の上下寸法は、その下部がシリンダケース３７ａの下端より所要寸法突出する長さとされ、筒体３８の下端部の左右両側面には、下方に開口する側面視下向きＵ字状のストッパ溝４６、４６が形成されている。この両ストッパ溝４６は、椅子１を使用状態まで後傾させて座６に着座した際に、ガススプリング３７が圧縮させられることにより、ベース３の後部側の枢軸４１に上方より嵌合するようになっている(詳細は後述する)。
【００３３】
図５に示すように、後部リンク２４における左右のリンク片２４ｂ、２４ｂ間の前後方向の中間部には、回動レバー２５の前面の開口部を覆いうるように湾曲された、可撓性を有する合成樹脂またはステンレス鋼等の板材よりなる上下方向を向くカバー４７の上部が嵌合され、両リンク片２４ｂに穿設された軸孔４８と、カバー４７の上端部に形成された左右方向を向く支持孔４９とに、左右方向の支持軸５０を嵌合することにより、カバー４７の上端部が、後部リンク２４により、前後に回動しうるように吊支されている。このカバー４７は、後部リンク２４の前面の開口部の一部と、回動レバー２５の前面の開口部とを体裁よく覆うとともに、後部リンク２４が回動レバー２５よりも上方に回動したときに、後部リンク２４と回動レバー２５との間に形成される間隙に、着座者Ｐの衣服等が挟まれたり、脚体４内に異物が入り込んだりするのを防止するためのものである。なお、カバー４７の上下寸法は、その下端部が常に脚体４の内部に収容される長さとされている。
【００３４】
次に、上記実施形態の椅子１の使用要領について説明する。
図２及び図５に示すように、椅子１を前傾させて不使用状態としているときは、椅子１の後面と後部の机２との間が大きく離間するので、椅子１と後部の机２との間を、人が自由に通行することができる。
【００３５】
この際、脚体４の下端の枢支点は、ガススプリング３７の下端の枢支点よりも後方に位置しているので、椅子１は、ガススプリング３７の上向き付勢力により前向きに付勢されることとなり、従って、不使用状態にある椅子１が不意に後傾する恐れはない。
また、上述したように、ガススプリング３７により回動レバー２５を上向きに付勢することにより、後部リンク２４が下向きに回動するのを阻止し、座６は、斜め後上方を向くように傾斜して保持されているので、机２と干渉することはない。
【００３６】
図３に示すように、椅子１を後傾させて使用状態とすると、座板２１の前面と机２の天板２ａの後端との間に、椅子１の着座者Ｐが入り込める大きさの間隔が形成されるとともに、座６は、着座者Ｐが着座し易いように、不使用状態のときよりもやや後傾する。
【００３７】
この状態で着座すると、図４に示すように、前部リンク２３と、後部リンク２４と、回動レバー２５とが、ガススプリング３７を圧縮させつつ、下向きに回動することにより、座６は前下方に移動し、筒体３８の下端に設けたストッパ溝４６が、枢軸４１に上方より嵌合して当接することにより、座６は、ほぼ水平の使用位置で停止する。
すなわち、筒体３８は、脚体４が後限位置に位置し、かつ座６が使用位置に位置しているとき、回動レバー２５とともに、後部リンク２４の中間部とベース３との間に介在して、後部リンク２４の下向き回動を阻止する第１のストッパ手段をなす上下方向の突張り杆として作用する。
【００３８】
なお、座６に着座した状態において、背フレーム１８の後面板１８ａと、下向きに回動した回動レバー２５の後下面、および後部リンク２４の後下面との間に、若干の隙間Ｓが形成されるようにしてある。
ガススプリング３７は強く圧縮された状態となっているので、着座状態から離席すると、椅子１は、ガススプリング３７の上向き付勢力により、自動的に不使用状態まで戻される。
【００３９】
着座時に、その場で立ち上がると、後部リンク２４は、ガススプリング３７と回動レバー２５により、図３に示す位置まで上向きに回動させられ、さらにこの状態で起立し、着座者Ｐの下肢の後面により座６の前端が後方に押動されると、図６及び図７に示すように、後部リンク２４が回動レバー２５から上方に離れて、さらに上向きに回動することにより、座６は、図３の位置よりもさらに大きく斜め後上方に傾斜させられる。その結果、着座者Ｐは、着座姿勢から、その場で起立したり、離着席したりするのを容易に行えるようになる。
【００４０】
図４に示すように、脚体４が後限位置に位置し、かつ座６が使用位置に保持され、着座者Ｐが着座している状態から、着座者Ｐが臀部を前方に引き寄せると、図８に示すように、脚体４が、座６とともに、中間位置まで前方に向かって回動し、椅子の後方に、他人が通行するため等の空間を簡単に形成することができる。
したがって、着座者Ｐは、離席したり、臀部を持ち上げたりする必要がなく、簡単な動作で、椅子の後方に他人が通行できる空間を形成することができる。
【００４１】
このときの脚体４の前方への回動は、図４に示す状態において、背フレーム１８の後面板１８ａと、回動レバー２５の後下面、および後部リンク２４の後下面との間に、隙間Ｓが形成されていることにより許容される。
脚体４が中間位置に達すると、この隙間Ｓが０となり、回動レバー２５の後下面および後部リンク２４の後下面、またはそれらのいずれか一方が、背フレーム１８の後面板１８ａに当接し、それ以上の脚体４の前方への回動は阻止される。
【００４２】
すなわち、背フレーム１８の後面板１８ａは、脚体４が中間位置に位置しているとき、後部リンク２４の後下面と回動レバー２５の後下面とのいずれか一方または両方に当接して、後部リンク２４を、脚体４に対する最大下向き角度で停止させ、座の後部を安定して支持する第２のストッパ手段をなしている。
【００４３】
本発明は、上記実施形態に限定されるものではない。
上記実施形態では、後部リンク２４の回動付勢手段として、回動レバー２５とガススプリング３７とを用いているが、これらのものに代えて、例えば後部リンク２４の軸３３に、後部リンク２４を図２に示す位置まで付勢し、後部リンク２４が図６に示す位置まで回動したときは、後部リンク２４から離間して、後部リンク２４の上向き回動を許容するようにした捩りコイルばね等とすることもできる。
【００４４】
また、上記実施形態においては、第１のストッパ手段である突張り杆をなす筒体３８を、回動レバー２５に枢着し、この回動レバー２５を介して、後部リンク２４の下向き回動を阻止するようにしてあるが、この突張り杆の上端部を、後部リンク２４に直接枢着し、脚体４が後限位置に位置し、かつ座６が使用位置に位置したとき、この突張り杆の下端がベース３に当接して、後部リンク２４の下向き回動を阻止するようにしてもよい。
【符号の説明】
【００４５】
１  椅子
２  机
２ａ天板
３  ベース
３ａ側面板
３ｂ隔壁
４  脚体
５  背凭れ
６  座
７  リンク機構
８  段付孔
９  固定片
９ａ取付孔
１０  アンカボルト
１１  ベース脚
１２  脚杆
１３  軸孔
１４  枢軸
１５  前部ストッパ部材
１６  後部ストッパ部材
１７  背板取付板
１８  背フレーム
１８ａ後面板
１８ｂ側面板
１９  背板
２０  座フレーム
２０ａ外向片
２０ｂ側面板
２１  座板
２２  矩形孔
２３  前部リンク
２３ａ枢着片
２４  後部リンク
２４ａ上片
２４ｂリンク片
２５  回動レバー(回動付勢手段)
２５ａ上片
２５ｂ側片
２６  軸孔
２７  ブラケット
２７ａ側片
２８  軸孔
２９  軸
３０  軸孔
３１  軸
３２  軸孔
３３  軸
３４  軸孔
３５  軸
３６  軸孔
３７  ガススプリング(回動付勢手段)
３７ａシリンダケース
３７ｂ伸縮ロッド
３８  筒体
３９  軸孔
４０  軸孔
４１  枢軸
４２  長溝
４３  軸孔
４４  軸孔
４５  軸
４６  ストッパ溝
４７  カバー
４８  軸孔
４９  支持孔
５０  支持軸
Ｆ  床面
Ｐ  着座者
Ｓ  隙間
【図１】
2010273768.tif 000003
【図２】
2010273768.tif 000004
【図３】
2010273768.tif 000005
【図４】
2010273768.tif 000006
【図５】
2010273768.tif 000007
【図６】
2010273768.tif 000008
【図７】
2010273768.tif 000009
【図８】
2010273768.tif 000010